(57)【要約】【課題】空調空間の空調エリア毎に真に着座する人の状態に応じて、空調エリア毎に適切な空調を行うことができる空調システムを提供する。【解決手段】空調空間１が複数の空調エリア２にエリア分割され、空調エリア２毎に空調装置３と複数の椅子４とが設けられ、制御手段５は、空調エリア２に配置される全椅子４の数に対する人が着座した着座状態にある椅子４の数の比率である着座率に応じて空調装置３を運転制御する構成とされ、椅子４の夫々に、着座部４ａにおける着座体の存在を検出可能な着座体検出手段６と、着座部４ａの温度である着座部温度を検出可能な温度検出手段７とが設けられ、制御手段５が、着座体検出手段６による検出結果及び温度検出手段７による検出結果或いは着座体検出手段６の検出時より遅れて検出される温度検出手段７の検出結果に基づいて空調装置３を運転制御する。【選択図】図１
2015001319.tif 000002
【特許請求の範囲】
【請求項１】
空調空間が複数の空調エリアに分割され、前記空調エリア毎に当該空調エリアを空調する空調装置が設けられるとともに、前記各空調エリアに複数の着座用の椅子が設けられ、前記空調装置の運転状態を制御可能な制御手段を備えた空調システムであって、
前記制御手段は、前記空調エリアに配置される全椅子の数に対する人が着座した着座状態にある椅子の数の比率である着座率に応じて前記空調装置を運転制御する構成とされ、
前記椅子の夫々に、着座部における着座体の存在を検出可能な着座体検出手段と、前記着座部の温度である着座部温度を検出可能な温度検出手段とが設けられ、
前記制御手段が、前記着座体検出手段による検出結果及び前記温度検出手段による検出結果或いは前記着座体検出手段の検出時より遅れて検出される前記温度検出手段の検出結果に基づいて前記空調装置を運転制御する空調システム。
【請求項２】
前記制御手段は、前記空調装置を運転制御して空調エリアを空調している状態で、全ての前記着座体検出手段により着座体の検出がされず、且つ、前記温度検出手段によって検出された着座部温度が、予め設定される着座判定温度範囲内から低下し、当該着座判定温度範囲から外れた場合に、前記空調装置を停止制御する請求項１に記載の空調システム。
【請求項３】
前記制御手段は、前記空調装置を運転制御して空調エリアを空調している状態で、全ての前記着座体検出手段により着座体の検出がされず、且つ、前記温度検出手段によって検出された着座部温度が、予め設定される着座判定温度範囲の温度まで上昇しない場合に、前記空調装置を停止制御する請求項１に記載の空調システム。
【請求項４】
前記制御手段は、前記着座率に応じて前記空調装置を運転制御している運転制御状態で、前記人が着座していると判定した椅子に備えられた温度検出手段の検出結果に関し、検出される着座部温度の温度変化傾向に基づいて、当該温度変化傾向を低減するように、前記空調装置の運転状態を制御する温度調整制御を実行する請求項１〜３の何れか１項に記載の空調システム。
【請求項５】
前記温度調整制御において、前記温度検出手段の検出結果の平均値の温度変化傾向に基づいて、当該温度変化傾向を低減するように、前記空調装置の運転状態を制御する請求項４に記載の空調システム。
【請求項６】
前記空調装置が冷房運転と暖房運転とに切り替え自在に構成され、
前記制御手段は、
前記温度変化傾向を低減する制御である温度低下処理として、前記空調装置が冷房運転の場合には当該空調装置の風量を増加し、前記空調装置が暖房運転の場合は前記風量を減少し、
前記温度変化傾向を低減する制御である温度上昇処理として、前記空調装置が冷房運転の場合は前記風量を減少し、前記空調装置が暖房運転の場合は前記風量を増加する請求項４又は５に記載の空調システム。
【請求項７】
前記制御手段は、前記着座率が所定の設定着座率以上である場合に、前記温度調整制御を実行し、前記着座率が前記所定の設定着座率未満である場合に、前記着座率に応じて前記空調エリアを空調した後に、当該空調エリアの空調装置の空調能力を低下する空調能力低下制御を実行する請求項４から６の何れか１項に記載の空調システム。
【請求項８】
前記着座体検出手段により着座体が検出された椅子に関し、前記温度検出手段により検出される前記着座部温度が予め設定される着座判定温度範囲内にある場合に、当該椅子に人が着座していると判定し、前記着座部温度が前記着座判定温度範囲から外れている場合に、当該椅子には人が着座していないと判定し、当該両判定に基づいて決定される前記着座率に応じて、前記制御手段が前記空調装置の運転状態を制御する請求項１に記載の空調システム。
【請求項９】
前記複数の空調エリアの夫々に照明装置が備えられ、
前記制御手段は、対象とする前記空調エリア内に設けられた何れかの着座体検出手段が着座体を検出した場合に、当該空調エリアの照明装置を点灯し、当該照明装置の点灯後において、着座状態となっている椅子に設けられた前記温度検出手段によって検出される着座部温度が上昇しない場合に、前記照明装置を消灯する請求項１から８の何れか１項に記載の空調システム。
【請求項１０】
前記複数の空調エリアの夫々に照明装置が備えられ、
前記制御手段は、前記空調エリアの前記照明装置が点灯しており、対象とする何れの着座体検出手段においても着座体が検出されない場合に、前記空調エリア内の椅子に設けられた前記温度検出手段によって検出される着座部温度が上昇する場合に前記照明装置の点灯状態を維持し、上昇しない場合に前記照明装置を消灯する請求項１から９の何れか１項に記載の空調システム。
【発明の詳細な説明】
【技術分野】
【０００１】
本発明は、空調空間が複数の空調エリアに分割され、前記空調エリア毎に当該空調エリアを空調する空調装置が設けられるとともに、各空調エリアに複数の着座用の椅子が設けられ、前記空調装置の運転状態を制御可能な制御手段を備えた空調システムに関する。
【背景技術】
【０００２】
従来の空調システムとして、特許文献１には、空調空間としての部屋が複数の空調エリアに分割され、夫々の空調エリアに人感センサと温度検出手段とが設けられ、人感センサによって人の存在が検出された場合に、検出された場所に近接する温度検出手段の検出結果に基づいて、夫々の空調エリアに設けられた空調装置を制御する空調システムが開示されている。この空調システムでは、人感センサの検出動作は、一義的に空調エリア内に人が存在するかどうかを確認するものであり、人感センサの検出結果に基づいて空調を行なうものであり、温度検出手段の検出結果は、空調エリアの温度を人にとって快適な温度環境を実現するために用いられる。
また、特許文献２には、空調空間としての室内に、着座部に圧力センサが設けられた椅子を備え、この圧力センサにおいて圧力を検知した時に、人がその椅子に着座していると判断して室内に設けられたエアコンを作動する空調システムが開示されている。特許文献２に於ける圧力センサの役割は、実質的に特許文献１に於ける人感センサの役割と同じであり、圧力センサが圧力を検出する限り人がその席に着座しているとして、空調が行なわれる。
また、特許文献３には、空調空間としての自動車の車内に、着座部に人の体温を検出する温度検出手段が設けられた座席を備えるとともに、その着座部の表面から空調空気を吹き出し可能な空調装置を設け、温度検出手段によって検出された人の体温に応じて座席毎に空調装置によって着座部の表面を快適な状態に空調する空調システムが開示されている。
【先行技術文献】
【特許文献】
【０００３】
【特許文献１】特開２０１１−１７４７０２号公報
【特許文献２】実開平６−５２３４４号公報
【特許文献３】特開２０１２−１２６３５８号公報
【発明の概要】
【発明が解決しようとする課題】
【０００４】
しかしながら、特許文献１に開示の空調システムでは、人が空調エリアを通過しただけであっても、人感センサによって人が存在すると判断されて空調装置が制御されてしまう虞がある。
また、特許文献２に開示の空調システムでは、鞄等の荷重物が圧力センサを備えた椅子に置かれた時にも、人が椅子に着座しているものとして空調装置が動作するので、各空調エリアを、そのエリア内にいる人の人数に応じて適切に空調することができない。
そして、特許文献３に開示される空調システムでは、夫々の椅子の着座部の表面を快適な状態に空調することができるものの、夫々の椅子に対応して設けられた空調装置が独立で制御されるので、この空調システムでは、複数の椅子が設けられ、異なった人数の人が着座し或いは着座していない様々な状態が発生する空調エリアの空調を、適切に行うことができない。
【０００５】
本発明は、かかる点に着目してなされたものであり、その目的は、空調空間の空調エリア毎に真に着座する人の状態に応じて、空調エリア毎に適切な空調を行うことができる空調システムを提供することにある。
【０００６】
この目的を達成するための本発明に係る空調システムの第１特徴構成は、
空調空間が複数の空調エリアに分割され、前記空調エリア毎に当該空調エリアを空調する空調装置が設けられるとともに、前記各空調エリアに複数の着座用の椅子が設けられ、前記空調装置の運転状態を制御可能な制御手段を備えた空調システムにおいて、
前記制御手段は、前記空調エリアに配置される全椅子の数に対する人が着座した着座状態にある椅子の数の比率である着座率に応じて前記空調装置を運転制御する構成とされ、
前記椅子の夫々に、着座部における着座体の存在を検出可能な着座体検出手段と、前記着座部の温度である着座部温度を検出可能な温度検出手段とが設けられ、
前記制御手段が、前記着座体検出手段による検出結果及び前記温度検出手段による検出結果或いは前記着座体検出手段の検出時より遅れて検出される前記温度検出手段の検出結果に基づいて前記空調装置を運転制御する点にある。
【０００７】
本発明に係る空調システムの第１特徴構成によれば、空調システムにおける各空調エリアの空調は、制御手段による各空調エリアに対して設けられる空調装置に対する運転制御となるが、この運転制御は、真に空調エリア内に着座している人の人数に基づいた制御を行なうことを、その目的とする。即ち、制御手段は、空調エリアに配置される全椅子の数に対する、真に人が着座した状態にある椅子の数の比率である着座率に応じて、空調装置を運転制御する。ここで、「着座率に応じて」とは、例えば、冷房負荷の場合、着座率が高くなるに従って冷房負荷が増加するため、空調装置の冷房能力を高める側に運転制御することを意味する。
そして、制御手段は、空調に際して、着座体検出手段による検出結果及び温度検出手段による検出結果或いは着座体検出手段による検出に対して遅れて検出される温度検出手段の検出結果に基づいて空調装置を運転制御するので、結果、着座率を、着座体検出手段の検出結果のみならず、人の着座状態を各着座部に設けられた温度検出手段の検出結果に基づいて確認しながら求めて、空調制御を行うことが可能となり、本願が目的とする真に着座する人の状態に応じた空調制御を実現できる。ここで、温度検出手段により検出される検出結果として、着座体検出手段の検出と同時の検出結果を使用する場合は、各空調制御タイミングにおいて、人の着座状態が変化しない場合に適切に対応することが可能となり、着座体検出手段の検出タンミングより遅れた温度検出手段の検出結果を使用することで、人の動き（非着座状態から着座状態への動き、着座状態から非着座状態への動き）に対応することが可能となる。
【０００８】
よって、例えば、椅子に鞄等が載置された状態で着座率が導出され、そのような着座率に基づいて空調エリアの空調を行っていた場合でも、着座体検出手段の検出が行われた時点、或いは、その時点から適宜時間が経過した時点での温度検出手段により検出される着座部温度に基づいて着座状態を判定して、真の着座率を求め、適切な空調制御を行うことが可能となる。空調空間において、このように空調エリア毎に適切に空調を行うことができるので、空調空間全体の空調負荷を事実上、低減できる。
【０００９】
本発明に係る空調システムの第２特徴構成は、上記空調システムの第１特徴構成に加えて、
前記制御手段は、前記空調装置を運転制御して空調エリアを空調している状態で、全ての前記着座体検出手段により着座体の検出がされず、且つ、前記温度検出手段によって検出された着座部温度が、予め設定される着座判定温度範囲内から低下し、前記着座判定温度範囲から外れた場合に、前記空調装置を停止制御する点にある。
【００１０】
上記空調システムの第２特徴構成では、温度検出手段の検出結果を合理的に利用する。
即ち、空調装置を運転制御して空調エリアを空調している状態で、全ての着座体検出手段により着座体が検出されなくなった場合は、これまで着座していた人が席を外し、全ての着座体検出手段による検出が無くなったと推定される。しかしながら、偶々、当該着座体検出手段による検出が、人が検出点から離れていて正常に検出できない等の状態も起こる。或いは、着座体検出手段の誤検出もありうる。そこで、温度検出手段による着座部温度が、予め設定される着座判定温度範囲内から低下し、着座判定温度範囲から外れた場合に、真に人が席を外したと判断して、空調装置を停止制御する。結果、過不足のない適格な停止制御を実行し、不測に停止されることや、空調装置が無駄に働くのを防止することができる。
【００１１】
本発明に係る空調システムの第３特徴構成は、上記空調システムの第１特徴構成に加えて、
前記制御手段は、前記空調装置を運転制御して空調エリアを空調している状態で、全ての前記着座体検出手段により着座体の検出がされず、且つ、前記温度検出手段によって検出された着座部温度が、予め設定される着座判定温度範囲の温度まで上昇しない場合に、前記空調装置を停止制御する点にある。
【００１２】
上記空調システムの第３特徴構成においても、温度検出手段の検出結果を合理的に利用する。即ち、空調装置を運転制御して空調エリアを空調している状態で、全ての着座体検出手段により着座体の検出がされない場合は、元々、不要な空調を行なっている状況が考えられる。この場合、停止制御を行うことが適切なのであるが、偶々、当該着座体検出手段による検出が、人の検出点から離れていて正常に検出していない等の状態も起こる。或いは、着座体検出手段の誤検出もありうる。そこで、温度検出手段による着座部温度が、予め設定される着座判定温度範囲の温度まで上昇しない場合に、真に人がいない、或いは、その席を真に離れたとして、空調装置を停止制御する。結果、過不足のない適格な停止制御を実行し、不測に停止されることや、空調装置が無駄に働くのを防止することができる。
【００１３】
本発明に係る空調システムの第４特徴構成は、上記空調システムの第１乃至第３特徴構成の何れかに加えて、
前記制御手段は、前記着座率に応じて前記空調装置を運転制御している運転制御状態で、前記人が着座していると判定した椅子に備えられた温度検出手段の検出結果に関し、検出される着座部温度の温度変化傾向に基づいて、当該温度変化傾向を低減するように、前記空調装置の運転状態を制御する温度調整制御を実行することにある。
具体的には、着座部温度が上昇した場合は、空調装置によって空調エリアの温度を下げる方向の温度調整制御を行い、着座部温度が上昇しない場合は、空調装置によって空調エリアの温度を上げる方向の温度調整制御を行う。
【００１４】
上記空調システムの第４特徴構成において、温度調整制御は、これまで空調制御が適切に行われていた状況で、例えば、外気温度の上昇、室内に於ける換気状態の変化が起こった場合に、この状況変化を温度検出手段による着座部温度の変化傾向として検出し、空調の過不足を、その変化傾向を吸収する方向での空調制御により吸収しようとするものである。
具体的には、着座状態となっている椅子の温度検出手段によって検出される着座部温度が上昇した場合は空調エリアの温度を下げる温度低下処理を行い、着座部温度が上昇しない場合は、空調エリアの温度を上げる温度上昇処理を行う。
このように着座部温度の変化傾向を吸収するように制御することで、空調環境の変化に対して適切に対応できる。ここで、「温度変化傾向を低減するように」とは、温度変化傾向を完全に無くするように制御する場合の他、僅かずつ、温度変化を解消するように空調制御することも含む概念である。
【００１５】
本発明に係る空調システムの第５特徴構成は、上記空調システムの第４特徴構成に加えて、
前記温度調整制御において、前記温度検出手段の検出結果の平均値の温度変化傾向に基づいて、当該温度変化傾向を低減するように、前記空調装置の運転状態を制御する点にある。
【００１６】
上記空調システムの第５特徴構成によれば、人が着座していると判定した椅子に備えられた温度検出手段の検出結果の平均値の温度変化傾向に基づいて、空調装置によって空調エリアの温度が温度変化傾向を低減するように調整されるので、より適切に空調エリアの空調を行うことができる。
【００１７】
本発明に係る空調システムの第６特徴構成は、上記空調システムの第４乃至第５特徴構成の何れかに加えて、
前記空調装置が冷房運転と暖房運転とに切り替え自在に構成され、
前記制御手段は、
前記温度変化傾向を低減する制御である温度低下処理として、前記空調装置が冷房運転の場合には当該空調装置の風量を増加し、前記空調装置が暖房運転の場合は前記風量を減少し、
前記温度変化傾向を低減する制御である温度上昇処理として、前記空調装置が冷房運転の場合は前記風量を減少し、前記空調装置が暖房運転の場合は前記風量を増加する点にある。
【００１８】
上記空調システムの第６特徴構成によれば、空調装置の運転状態を、冷房運転又は暖房運転として適切に空調エリアの温度を制御することができる。また、空調装置の風量を増減させることで、適切に空調エリアの温度を制御することができる。
【００１９】
本発明に係る空調システムの第７特徴構成は、上記空調システムの第４乃至第６特徴構成の何れかに加えて、
前記制御手段は、前記着座率が所定の設定着座率以上である場合に、前記温度調整制御を実行し、前記着座率が前記所定の設定着座率未満である場合に、前記着座率に応じて前記空調エリアを空調した後に、当該空調エリアの空調装置の空調能力を低下する空調能力低下制御を実行する点にある。
【００２０】
上記空調システムの第７特徴構成によれば、着座率が高い場合は、現状で得られる着座率を、一応の信頼できる着座率として、空調エリアの空調を、その空調エリアにいる人の人数に対応した状態で迅速に実行する。
これに対して、導出される着座率が低い場合は、空調過多（空調しすぎ）となる可能性があるため、着座体検出手段の検出結果を一応の信頼できる結果として空調を実行した後、その状況での空調能力を低減することで、空調過多を避けることができる。さらに、人数が少ない少人数の場合は、各人に空調負荷の低減に対する協力を期待でき空調装置の運転コストを低減することができる。
【００２１】
本発明に係る空調システムの第８特徴構成は、上記空調システムの第１特徴構成に加えて、
前記着座体検出手段により着座体が検出された椅子に関し、前記温度検出手段により検出される前記着座部温度が予め設定される着座判定温度範囲内にある場合に、当該椅子に人が着座していると判定し、前記着座部温度が前記着座判定温度範囲から外れている場合に、当該椅子には人が着座していないと判定し、当該両判定に基づいて決定される前記着座率に応じて、前記制御手段が前記空調装置の運転状態を制御する点にある。
【００２２】
上記空調システムの第８特徴構成では、着座部温度に関して着座判定温度範囲が定義されている。人が実際に椅子に着座している状態では、その椅子の着座部の温度は、人の体温に近い温度となるため、人が着座している状態に対応するある程度の範囲を有する温度として予め一定の温度範囲（本願の着座判定温度範囲）を設定しておくことができる。これに対して通常の空調状態にあっては、人が着座していない場合、空調された室内で、着座部の温度は、この着座判定温度範囲よる低い温度範囲となる。
そこで、本特徴構成では、着座体検出手段により着座体が検出された椅子に関し、温度検出手段により検出される着座部温度が、予め設定される着座判定温度範囲内にある場合に、当該椅子に人が着座していると判定し、着座部温度が着座判定温度範囲から外れている場合に、当該椅子には人が着座していないと判定する。このような着座部温度の検出は、空調継続中は、着座体検出手段による検出と同時に行うことで、着座状態が変化していない状況の確認とすることができ、例えば、着座体検出手段による検出結果が変わった場合（非着座状態の検出から、着座状態の検出に、或いは、その逆に変化した場合）、着座体検出手段の検出に遅れた一定時間の経過後に着座部温度の検出を行うことにより、人の着座、非着座を確実に確認できる。結果、このようにして得られた両判定に基づいて真の着座率を決定し、この信頼性の高い着座率に応じて、合理的な空調制御を行うことができる。
【００２３】
本発明に係る空調システムの第９特徴構成は、上記空調システムの第１乃至第８特徴構成の何れかに加えて、
前記複数の空調エリアの夫々に照明装置が備えられ、
前記制御手段は、対象とする前記空調エリア内に設けられた何れかの着座体検出手段が着座体を検出した場合に、当該空調エリアの照明装置を点灯し、当該照明装置の点灯後において、着座状態となっている椅子に設けられた前記温度検出手段によって検出される着座部温度が上昇しない場合に、前記照明装置を消灯する点にある。
【００２４】
上記空調システムの第９特徴構成によれば、対象とする空調エリア内に設けられた何れかの着座体検出手段が着座体を検出した場合に、照明装置を点灯するので、在室者が空調エリアに設けられた椅子の着座部に着座するだけで、空調エリアの照明装置を点灯させることができる。
一方、照明装置の点灯後において着座部温度が上昇しない場合に、照明装置を消灯するので、椅子の着座部に荷物が置かれること等により照明装置が点灯してしまった場合に、その点灯している照明装置を消灯することができ、無駄な照明装置の運転コストを削減することができる。
【００２５】
本発明に係る空調システムの第１０特徴構成は、上記空調システムの第１乃至第９特徴構成の何れかに加えて、
前記複数の空調エリアの夫々に照明装置が備えられ、
前記制御手段は、前記空調エリアの前記照明装置が点灯しており、対象とする何れの着座体検出手段においても着座体が検出されない場合に、前記空調エリア内の椅子に設けられた前記温度検出手段によって検出される着座部温度が上昇する場合に前記照明装置の点灯状態を維持し、上昇しない場合に前記照明装置を消灯する点にある。
【００２６】
上記空調システムの第１０特徴構成によれば、空調エリアの照明装置が点灯している状態において、着座体検出手段及び温度検出手段によって空調エリアに設けられた椅子において、確実に人が着座していないことを確認して、照明装置を消灯して照明装置の運転コストを低減することができる。例えば、人が空調エリアに設けられた椅子に着座しているのに着座体検出手段の誤検知により非着座状態であることが検出されてしまうことがあるが、椅子に設けられた温度検出手段によって検出された着座部温度が上昇することを確認して点灯状態を維持したり、上昇しないことを確認して消灯することで、適切な照明を維持できる。
【図面の簡単な説明】
【００２７】
【図１】空調システムの概略構成図
【図２】空調装置の制御を示すフローチャート
【図３】空調装置の停止判断処理の制御を示すフローチャート
【図４】空調装置の温度調整処理の制御を示すフローチャート
【図５】空調装置の風量減少処理の制御を示すフローチャート
【図６】照明装置の制御を示すフローチャート
【発明を実施するための形態】
【００２８】
本発明に係る空調管理システムの実施形態について、図面に基づいて説明する。
図１に示すように、本実施形態に係る空調システムＳは、空調空間としての部屋１が複数の空調エリア２に分割され、その空調エリア２毎にその空調エリア２を空調する空調装置３が設けられるとともに、各空調エリア２に複数の椅子４が配置され、空調装置３の運転状態を制御可能な制御手段５を備えている。
また、複数の空調エリア２の夫々に照明装置８が備えられている。この照明装置８の点灯状態も制御手段５によって制御可能とされている。
そして、複数の椅子４の夫々には、椅子４の着座部４ａにおける人又は物（これらを総称して着座体と呼ぶ）の存在を検出可能な着座体検出手段６と、椅子４の着座部４ａの着座部温度Ｔｓを検出可能な温度検出手段７とが設けられている。
【００２９】
夫々の空調エリア２は、部屋１内が複数の椅子４と複数の机１４とが設置可能な複数の空間に区切られた空間である。空調エリア２の間にロッカー９等を設けることで空調エリア２の区切りが示されている。そして、夫々の空調エリア２の天井面１ａに空調装置３と照明装置８とが設けられている。
【００３０】
具体的には、着座体検出手段６は、圧力を電気的な信号に変換して出力することができる素子である公知の半導体や圧電体の圧力センサで構成され、椅子４の着座部４ａを支持する座面支柱部に設けられている。椅子４の着座部４ａにおける人又は物の存在の検出は、着座部４ａ及び座面支柱部を介して伝えられる人又は物の重さによる圧力の変化によって検出可能とされる。また、椅子４の着座部４ａに設けられた温度検出手段７は、着座部４ａの温度である着座部温度Ｔｓを検出可能な公知の熱電対や測温抵抗体で構成されている。
【００３１】
着座体検出手段６及び温度検出手段７による検出信号は無線通信手段等を利用して制御手段５に入力されている。また、着座体検出手段６及び温度検出手段７を作動させるための電源の供給は、例えば、照明装置８からの光を受光することで発電可能な発電手段（図示せず）が夫々の椅子４に設けられ、この発電手段から着座体検出手段６及び温度検出手段７に電源が供給されている。これにより、椅子４において、電源供給のための配線や検出信号伝達のための配線をなくすことができる。
【００３２】
空調装置３は、例えば、図示しないエアフィルタ、熱交換器、給気用送風機を備え、空調吹出口３ａから部屋１に空調後の空気が吹き出すように構成されている。空調吹出口３ａより吹き出す風量は、空調装置３内の給気用送風機の回転数の制御により調節が可能となっている。例えば、この風量は５段階に調整可能に構成されている。また、空調装置３は冷房運転と暖房運転とに運転モードが切り替え自在に構成されている。
【００３３】
照明装置８は、その光源を、例えば蛍光灯、ＬＥＤ、電球等として構成され、夫々の空調エリア２に設けられた机１４において在室者が作業することが可能となるように空調エリア２内を照らすことができる。
【００３４】
部屋１の側壁面１ｂには、在室者の操作によって空調装置３の空調運転の開始、停止、設定風量及び設定温度の変更等を行うとともに、照明装置８を点灯及び消灯するスイッチ部１０が設けられている。
【００３５】
スイッチ部１０と制御手段５とは通信線１１で接続されている。また、制御手段５と空調装置３とは、空調制御のための制御信号を送受信可能な空調用通信線１２を介して接続され、スイッチ部１０の操作により空調装置３の運転の開始及び停止に加え、設定風量、設定温度の変更等の運転制御が可能に構成されている。また、スイッチ部１０の操作により、夫々の空調装置３を独立して制御可能に構成されている。
なお、通信線１１及び空調用通信線１２に替えて、赤外線等を用いた無線の通信手段によってスイッチ部１０と制御手段５との間、及び、制御手段５と空調装置３との間で運転制御のための制御信号を送受信可能に構成してもよい。
【００３６】
さらに、制御手段５と照明装置８とは、照明装置８を点消灯するための制御信号を送受信可能な照明用通信線１３を介して接続され、スイッチ部１０の操作により照明装置８を点灯状態とするか消灯状態とするかを切り替え可能に構成されている。また、スイッチ部１０の操作により、夫々の照明装置８を独立して点灯及び消灯することが可能に構成されている。
【００３７】
制御手段５は、コンピュータなどで構成され、空調エリア２の夫々の椅子４の着座状態及び非着座状態の履歴データを記憶する記憶部（図示せず）が設けられている。
【００３８】
次に、制御手段５における空調装置３の制御について説明する。
この実施形態においては、着座体検出手段６による着座の検出が行われ、その検出結果に基づいた空調制御が行われた後、温度検出手段７による着座部温度が検出され、その着座部温度に基づいて、空調制御が修正される場合の例に関して説明する。
【００３９】
制御手段５は、その基本的な構成として、空調エリア２に配置される全ての椅子４の数に対する人が着座した着座状態にある椅子４の数の比率である着座率に基づいて、空調装置３を運転制御するように構成されている。例えば、着座率が高いほど、人が多く空調エリア２に存在していると判断して、冷房運転の場合、空調装置３の風量を増加して空調能力を高めるように空調制御するものとされている。
この実施形態では、着座体検出手段６によって着座体（人又は物）の存在が検出された検出状態となっている椅子４を、人が着座した着座状態にある椅子４であると判定して、着座率を、空調エリア２に設けられた全ての椅子４の数に対する着座体検出手段６により着座体の存在が検出された検出状態となっている椅子４の数の比率として決定する。さらに、この着座率に応じた空調を行なっている状態で、温度検出手段７によって逐次検出される着座部温度により、真に人が着座部４ａに着座した着座状態にあるかどうかが確認され、その結果に基づいて、着座率が修正され、修正後の着座率に基づいて空調制御がおこなわれる。即ち、着座体検出手段６による検出結果及び着座体検出手段６の検出より遅れて検出される温度検出手段７の検出結果に基づいて、真の着座状態を確認して真の着座率を導出し、導出された真の着座率に基づいて空調装置３を運転制御するように構成されている。
【００４０】
以上のようにして決定された着座率に応じて空調制御を行なっている状態での、制御手段５による空調装置３に対する空調制御に関して、図２〜図５に基づいて説明する。
これらの図面は、図２が空調制御のメインフローを、図３、図４、図５は、それぞれ、図２に示す、空調停止判断制御時の処理である「空調停止判断処理」、温度調整制御時の処理である「温度調整処理」及び、風量減少制御時の処理である「風量減少処理」のフローを示している。
図２に示すメインフローの処理は、空調装置３が働いていることを条件として、一定の時間周期で繰り返し行われる処理である。即ち、メインフローにおいて、処理がエンドまで至ると一定時間の経過後、再度、スタートに戻る。
【００４１】
「空調停止判断処理」は、空調制御の継続中に着座率が０となった場合の処理であり、「温度調整処理」は、空調制御の継続中に着座率が一定値以上に維持されている場合の処理であり、「風量減少処理」は、空調制御の継続中に着座率が一定値未満となった場合の処理である。
【００４２】
それぞれの処理の目的は、「空調停止判断処理」は空調エリア２内に真に人がいなくなった場合に空調装置３を停止制御するための処理であり、「温度調整処理」はこれまで適切な空調制御が行われてきた状況で何等かの要因により着座部温度に影響を及ぼす程の環境変化があった場合に、その環境変化を吸収するための処理であり、「風量減少処理」は空調エリア２内の人数が減少した場合に、人数の減少に適切に対応するとともに、同時に、小人数の場合は省エネを目的として空調負荷を低減するための処理である。
【００４３】
〔メインフロー〕
図２に示すように、空調装置３の運転が継続されていることを条件として（＃１０１）、着座率Ｒｓを導出する（＃１０２）。ここで、導出される着座率Ｒｓは、着座体検出手段６によって着座部４ａに着座体が検出されることを条件として決定される着座率Ｒｓである。そして、着座率Ｒｓが決定されると、着座率Ｒｓ及び予め設定した空調エリア２の目標温度に基づいて空調エリア２の空調制御が行われる（＃１０３）。先にも示したように、着座率Ｒｓに基づいた空調制御は、着座率Ｒｓが０の場合に空調装置３の風量を一定の最低風量に設定し、着座率Ｒｓの上昇に伴って、例えば冷房運転の場合、空調装置３の風量を段階的に、その最大風量まで上昇させる形態のものである。
【００４４】
制御手段５は、上記のようにして予備的に設定される空調制御状態に対して、温度検出手段７により着座部温度Ｔｓを検出し、着座率Ｒｓと着座部温度Ｔｓとに基づいて空調装置３の運転状態を制御する。
【００４５】
この空調制御を行う場合に、先にも説明したように、制御の基礎とされる着座率Ｒｓについて、空調制御が３系統に分けられている。
即ち、着座率Ｒｓが０となる場合は（＃１０４）、空調停止判断処理（＃１０５）を実施する。一方、着座率Ｒｓが０ではない場合は、制御手段５は、着座率Ｒｓが所定の設定着座率Ｒ１以上又は未満であるかを判断して（＃１０６）、着座率Ｒｓが所定の設定着座率Ｒ１以上である場合は温度調整処理（＃１０７）を実施し、導出した着座率Ｒｓが所定の設定着座率Ｒ１未満である場合は風量減少処理（＃１０８）が実施される。なお、所定の設定着座率Ｒ１は、例えば、０．３に設定される。
【００４６】
以下、制御手段５によって実施される、空調停止判断処理（＃１０５）、温度調整処理（＃１０７）、風量減少処理（＃１０８）の各処理について説明する。
【００４７】
〔空調停止判断処理〕
空調停止判断処理（＃１０５）は、着座率Ｒｓが０となった場合(全ての着座体検出手段６において着座体が検出されない状態になった場合)に実行される。この状態では、空調装置３の風量は一定の最低風量に制御されている。
制御手段５は、記憶部の椅子４の着座状態及び非着座状態が示された履歴データを参照して、着座体検出手段６により着座部４ａにおいて人又は物の存在が検出されていない非着座状態となっている空調エリア２の複数の椅子４うち、最後に着座状態から非着座状態となった椅子４に設けられた温度検出手段７によって検出される着座部温度Ｔｓを検証して、その温度が低下している場合は、空調装置３の運転を停止するように構成されている。
【００４８】
具体的には、図３に示すように、空調停止判断処理（＃１０５）の開始時に、最後に着座状態から非着座状態となった椅子４に設けられた温度検出手段７によって着座部温度Ｔｓである開始時温度Ｔ１が検出され（＃２０１）、空調停止判断処理（＃１０５）の開始時から予め設定された所定の設定時間ｔ１（例えば、３分間）が経過すると（＃２０２）、最後に着座状態から非着座状態となった椅子４に設けられた温度検出手段７によって着座部温度Ｔｓである経過時温度Ｔ２が検出される（＃２０３）。そして、経過時温度Ｔ２と開始時温度Ｔ１とが比較され（＃２０４）、温度検出手段７によって検出される着座部温度Ｔｓが低下している場合、すなわち、経過時温度Ｔ２が開始時温度Ｔ１未満となる場合（着座判定温度範囲を外れた場合）に空調装置３の運転を停止する（＃２０５）。一方、温度検出手段７によって検出される着座部温度Ｔｓが変化していない、或いは上昇している場合、すなわち、経過時温度Ｔ２が開始時温度Ｔ１に対して変化していない、或いは上昇している場合は空調装置３の運転を継続する（＃２０６）。
これにより、これまで人が椅子４に着座していた場合、その人が椅子４を離れると着座部温度Ｔｓが低下することを利用して、真の着座状態を確認して、真に人が着座部４ａから離れた状態となっている場合に、空調装置３を的確に停止できる。
【００４９】
〔温度調整処理〕
温度調整処理（＃１０７）は、比較的高い着座率Ｒｓを対象として、空調制御が、その高い着座率Ｒｓにおいて的確に行なわれていることを前提として、その状態を保持すべく、制御手段５によって、実行される。
この温度調整処理（＃１０７）では、制御手段５は、着座率Ｒｓに基づいて空調装置３を運転制御している制御状態で、人が着座していると判定した椅子４に備えられた温度検出手段７の検出結果に関し、検出される着座部温度Ｔｓの温度変化傾向に基づいて、当該温度変化傾向を低減するように、空調装置３の運転状態を制御する温度調整制御を実行する。即ち、人が着座していると判定した椅子４に備えられた温度検出手段７の検出結果の平均値の温度変化傾向に基づいて、当該温度変化傾向を低減するように、空調装置３の運転状態を制御する。
【００５０】
具体的には、着座状態となっている椅子４の着座部温度Ｔｓの平均温度が上昇した場合は、空調装置３によって空調エリア２の温度を下げる温度低下処理が行われ、着座状態となっている椅子４の着座部温度Ｔｓの平均温度が上昇しない場合は、空調装置３によって空調エリア２の温度を上げる温度上昇処理が行われる。
【００５１】
即ち、制御手段５は、温度低下処理として、空調装置３の運転モードが冷房運転の場合には空調装置３の風量を増加し、空調装置３の運転モードが暖房運転の場合は風量を低下する。一方、温度上昇処理として、空調装置３が冷房運転の場合は風量を低下し、空調装置３が暖房運転の場合は風量を増加する。
【００５２】
詳細には、図４に示すように、着座状態にある椅子４の温度検出手段７について、複数の椅子４に設けられた夫々の温度検出手段７によって検出された着座部温度Ｔｓの平均温度である開始時平均温度Ｔ３が求められ（＃３０１）、この温度調整処理の開始時から予め設定された所定の経過時間ｔ２（例えば、１０分間）が経過すると（＃３０２）、複数の椅子４に設けられた夫々の温度検出手段７によって検出された着座部温度Ｔｓの平均温度である経過時平均温度Ｔ４が求められる（＃３０３）。
【００５３】
そして、経過時平均温度Ｔ４と開始時平均温度Ｔ３とが比較され（＃３０４）、経過時平均温度Ｔ４が開始時平均温度Ｔ３より高くなっている場合には、空調装置３の運転モードが冷房運転か暖房運転かが判断される（＃３０５）。そして、空調装置３が冷房運転の場合には風量を増加（＃３０６）させ、空調装置３が暖房運転の場合は風量を減少（＃３０７）させる温度低下処理を実施する。
【００５４】
一方、経過時平均温度Ｔ４と開始時平均温度Ｔ３との比較において（＃３０４）、経過時平均温度Ｔ４が開始時平均温度Ｔ３以下である場合にも、空調装置３の運転モードが冷房運転か暖房運転かが判断される（＃３０８）。そして、空調装置３が冷房運転の場合には風量を減少（＃３０９）させ、空調装置３が暖房運転の場合は風量を増加（＃３１０）させる温度上昇処理を実施する。そして、調整後の風量を維持する状態で、予め設定された所定の運転時間の間（例えば、１０分間）、空調装置３の運転を行う（＃３１１）。
このような空調制御を行うことで、空調環境の変化に適切に適合して、好適な空調状態を維持できる。
【００５５】
〔空調能力低下処理〕
風量減少処理（＃１０８）は、比較的低い着座率Ｒｓを対象として、所定の着座率未満に着座率Ｒｓが下がった場合に、制御手段５によって、実施される。
風量減少処理（＃１０８）は、図５に示すように、空調エリア２の空調装置３の風量を１段階減少する（＃４０１）。そして、調整後の風量を維持する状態で、予め設定された所定の運転時間の間（例えば、３０分間）、空調装置３の運転を行う（＃４０２）。
【００５６】
〔照明装置の制御〕
次に、制御手段５における照明装置８の制御について説明する。
制御手段５は、空調エリア２内にある何れかの着座体検出手段６が着座体を検出した場合に、空調エリア２の照明装置８を点灯し、照明装置８の点灯後において、着座状態となっている椅子４に設けられた温度検出手段７によって検出される着座部温度Ｔｓが上昇しない場合に、照明装置８を消灯するように構成されている。
【００５７】
具体的には、図６に示すように、制御手段５は、何れかの着座体検出手段６が着座体を検出した場合に（＃５０１）、空調エリア２の照明装置８を点灯する（＃５０２）。その後、着座状態となっている椅子４に設けられた温度検出手段７によって検出される照明装置８の点灯時における着座部温度Ｔｓとしての点灯時温度Ｔ５を検出する（＃５０３）。そして、照明装置８の点灯時から予め設定された所定の設定時間ｔ３（例えば、１５秒）が経過すると（＃５０４）、照明装置８の点灯後における着座部温度Ｔｓとしての点灯後温度Ｔ６が検出される（＃５０５）。
そして、点灯後温度Ｔ６と点灯時温度Ｔ５とが比較され（＃５０６）、温度検出手段７によって検出される着座部温度Ｔｓが上昇しない場合(実際に人が着座することなく、例えば鞄が椅子４に置かれた場合に対応)、すなわち、点灯後温度Ｔ６が点灯時温度Ｔ５以下の場合に照明装置８を消灯する（＃５０７）。一方、温度検出手段７によって検出される着座部温度Ｔｓが上昇した場合(実際に人が着座した場合に対応)、すなわち、点灯後温度Ｔ６が点灯時温度Ｔ５よりも高い場合は照明装置８の点灯を継続する（＃５０８）。ここで、点灯時温度Ｔ５及び点灯後温度Ｔ６は、複数の椅子４が着座状態となっている場合には、着座状態となっている夫々の椅子４に設けられた温度検出手段７によって検出された着座部温度Ｔｓの平均温度とされる。
【００５８】
〔その他の実施形態〕
最後に、本発明のその他の実施形態について説明する。なお、以下に説明する各実施形態の構成は、夫々単独で適用されるものに限られず、矛盾が生じない限り、他の実施形態の構成と組み合わせて適用することも可能である。
（１）上記実施形態では、空調空間としての部屋１に、２つの空調エリア２を設けたが、これに限らず、部屋１に、３つ以上の空調エリア２を設けてもよい。
【００５９】
（２）上記実施形態では、椅子４の着座部４ａにおける人又は物の存在を検出可能な着座体検出手段６を椅子４の座面支柱部に設けられた圧力センサとしたが、これに限らず、着座体検出手段６を、椅子４の着座部４ａにおける着座体（人又は物）の存在を検出可能な人感センサで構成してもよい。この人感センサとしてはフォトセンサ等を使用することができる。
【００６０】
（３）上記実施形態では、空調装置３の風量が５段階に調整可能に構成され、温度調整処理（＃１０７）及び風量減少処理（＃１０８）において、風量を１段階増減する構成としたが、これに限らず、空調装置３の風量が無段階に調整可能として、温度調整処理（＃１０７）及び風量減少処理（＃１０８）において、風量を１段階増減する代わりに、予め定めた所定の風量を増減する構成としてもよい。
【００６１】
（４）上記実施形態では、着座状態となっている椅子４の着座部温度Ｔｓの平均温度に基づいて温度調整処理（＃１０７）を実施したが、これに限らず、着座状態となっている椅子４の着座部温度Ｔｓを合計した合計温度に基づいて温度調整処理（＃１０７）を実施してもよい。
【００６２】
（５）上記実施形態では、温度調整処理（＃１０７）及び風量減少処理（＃１０８）において、着座率Ｒｓと着座部温度Ｔｓとに基づいて空調装置３の運転状態を制御するにあたり、空調装置３の風量が調整されたが、これに限らず、着座率Ｒｓと着座部温度Ｔｓとに基づいて空調装置３の運転状態を制御するにあたり、空調装置３から吹き出す空調後の空気の温度を調整する構成としてもよい。
【００６３】
（６）上記実施形態では、空調停止判断処理（＃１０５）において、これまで、人が空調エリア２内に存在するために、空調制御を実行している場合には、制御手段５の記憶部の椅子４の着座状態及び非着座状態が示された履歴データを参照して、最後に着座状態から非着座状態となった椅子４に設けられた温度検出手段７によって検出される着座部温度Ｔｓが着座判定温度範囲を外れた場合（温度が低下した場合）に、空調装置３の運転を停止するように構成したが、人が空調エリア２内に入り、椅子４に着座する場合は以下のようにして真の着座率を検出することもできる。
即ち、人が実際に空調エリア内に入り着座した場合は、その着座に伴って、着座部４ａの温度は、通常の室温から人の体温に近い温度まで上昇する。従って、例えば、着座体検出手段６による着座状態の検出が行われ、その状態に合わせて空調制御を実行している状態で、着座状態となっている空調エリア２の複数の椅子４に設けられた温度検出手段７によって検出される着座部温度Ｔｓが室温から予め設定されている着座判定温度まで上昇しない場合に、空調装置３の運転を停止するように構成することもできる。この場合、着座判定温度まで上昇した場合、当然に、現状の空調状態を維持することとなる。
【００６４】
（７）上記実施形態では、制御手段５は、照明装置８が点灯している場合において、着座率Ｒｓが０ではない場合(何れかの着座体検出手段６において着座体が検出されている場合)に、着座状態となっている椅子４に設けられた温度検出手段７によって検出される着座部温度Ｔｓが上昇しない場合（着座判定温度まで上昇しない場合）に、照明装置８を消灯するように構成されたが、これに限らず、制御手段５は、照明装置８が点灯している場合において、着座率Ｒｓが０となった場合(全ての着座体検出手段６において着座体が検出されない状態になった場合)に、非着座状態となっている複数の椅子４に設けられた温度検出手段７によって検出される着座部温度Ｔｓが上昇する場合に照明装置８の点灯状態を維持し、上昇しない場合に照明装置８を消灯するように構成されてもよい。
【００６５】
（８）上記実施形態では、所定の設定着座率Ｒ１が０．３に設定されたが、これに限らず、所定の設定着座率Ｒ１を０よりも大きく１以下の所望の数値に設定することができる。また、所定の設定着座率Ｒ１を設けず、着座率Ｒｓが０以外の時は常に温度調整処理（＃１０７）が実施されるように構成してもよい。
【００６６】
（９）上記実施形態では、着座体検出手段６による検出結果に基づいて仮の着座率を導出し、その後、各椅子４の着座部４ａに設けられた温度検出手段７による検出結果に基づいて、真の着座率を導出し、その着座率に基づく空調制御を行うものとしたが、先にも説明したように、各椅子４の着座状態を簡易にかつ正確に検出しようとする構成としては、着座体検出手段６による検出と、温度検出手段７による検出を同時におこなって、信頼性の高い着座率を求めて、空調制御を続けることも可能である。
この構成の場合は、以下のようにして着座の確認を行うことができる。
【００６７】
〔着座温度検出による人の着座の確認〕
この確認手法は、着座体検出手段６により着座体が検出された椅子４に関し、温度検出手段７により検出される着座部温度Ｔｓが、予め設定される着座判定温度範囲内にある場合に、当該椅子４に人が着座していると判定し、一方、着座部温度が着座判定温度範囲から外れている場合に、当該椅子４には人が着座していないと判定する。そして、着座体検出手段６と温度検出手段７との両方の検出結果に基づいて真の着座率を導出する。
即ち、両検出手段によって着座状態を判定し（着座体検出手段６としての圧力センサに掛かる荷重を検出した場合、或いは、人感センサが着座体の存在を検出した場合で、温度検出手段７が着座温度範囲内に温度を検出した場合に着座状態であると判定し、着座体検出手段６としての圧力センサに掛かる荷重を検出した、或いは、人感センサが着座体の存在を検出した場合で、温度検出手段７が着座温度範囲内の温度を検出できない場合に非着座状態であると判定し）、その判定に基づいて着座率を導出し、空調制御を行うものとしてもよい。
【産業上の利用可能性】
【００６８】
以上説明したように、空調空間の空調エリア毎に真に着座する人の状態に応じて、空調エリア毎に適切な空調を行うことができる空調システムを提供することができる。
【符号の説明】
【００６９】
１    部屋（空調空間）
２    空調エリア
３    空調装置
４    椅子
５    制御手段
４ａ  着座部
６    着座体検出手段
７    温度検出手段
８    照明装置
Ｒ１  設定着座率
Ｒｓ  着座率
Ｓ    空調システム
Ｔｓ  着座部温度
【図１】
2015001319.tif 000003
【図２】
2015001319.tif 000004
【図３】
2015001319.tif 000005
【図４】
2015001319.tif 000006
【図５】
2015001319.tif 000007
【図６】
2015001319.tif 000008